(57)【要約】【課題】周波数拡散ＣＤＭ方式と送信ダイバーシチの両方を適用する場合に、通信品質の向上を図る。【解決手段】アンテナ＃１から送信する信号については全ての周波数ブロックに関し全サブキャリアの位相を固定し、アンテナ＃２から送信する信号については拡散符号長と同じもしくは整数倍の周波数ブロックごとにサブキャリアの位相を一定量ずつシフトさせる位相シフト手段を備えたことを特徴とする。【選択図】図１
2008236417.tif 000002
【特許請求の範囲】
【請求項１】
第１のアンテナと第２のアンテナを備えると共に周波数拡散ＭＣ−ＣＤＭ方式を適用する無線送信装置において、
第１のアンテナから送信する信号については全ての周波数ブロックに関し全サブキャリアの位相を固定し、第２のアンテナから送信する信号については拡散符号長と同じもしくは整数倍の周波数ブロックごとにサブキャリアの位相を一定量ずつもしくはランダムにシフトさせる位相シフト手段を備えたことを特徴とする無線送信装置。
【請求項２】
周波数拡散ＭＣ−ＣＤＭ方式を適用するＣＤＤ方式の無線受信装置において、
無線送信装置から送信された既知のパイロット信号を受信し、その受信パイロット信号を用いてチャネル応答と位相シフト量を検出して受信処理する受信処理手段を備えたことを特徴とする無線受信装置。
【請求項３】
第１のアンテナと第２のアンテナを備えると共に周波数拡散ＭＣ−ＣＤＭ方式を適用する無線送信装置において、
所定のアンテナ切り替え規則に従って、拡散符号長と同じもしくは整数倍の周波数ブロック単位で、送信するアンテナを切り替えるアンテナ選択手段を備えたことを特徴とする無線送信装置。
【請求項４】
周波数拡散ＭＣ−ＣＤＭ方式を適用するＦＳＴＤ方式の無線受信装置において、
無線送信装置と共有する周波数ブロック単位のアンテナ切り替え規則に従って、受信信号を処理する受信処理手段を備えたことを特徴とする無線受信装置。
【請求項５】
第１のアンテナと第２のアンテナを備えると共に周波数拡散ＭＣ−ＣＤＭ方式を適用する無線送信装置において、
周波数方向に符号拡散された信号を拡散符号長と同じもしくは整数倍の周波数ブロック単位でアラモウティ符号化するアラモウティ符号化手段と、
該符号化前の元の信号と該符号化信号とに分けて、周波数ブロック単位で、第１のアンテナと第２のアンテナに分配する分配手段と、
を備えたことを特徴とする無線送信装置。
【請求項６】
第１のアンテナと第２のアンテナを備えると共に周波数拡散ＭＣ−ＣＤＭ方式を適用する無線送信装置において、
周波数方向に符号拡散された信号をサブキャリア単位でアラモウティ符号化するアラモウティ符号化手段と、
該符号化前の元の信号と該符号化信号とに分けて、サブキャリア単位で、第１のアンテナと第２のアンテナに分配する分配手段と、
を備えたことを特徴とする無線送信装置。
【請求項７】
周波数拡散ＭＣ−ＣＤＭ方式を適用する無線受信装置において、
無線送信装置と共有するアラモウティ符号化単位およびアンテナ分配単位に従って、受信信号をアラモウティ復号処理する復号手段を備えたことを特徴とする無線受信装置。
【発明の詳細な説明】
【技術分野】
【０００１】
本発明は、無線送信装置および無線受信装置に関する。
【背景技術】
【０００２】
従来、同一データを周波数方向に符号拡散する符号分割多重方式（以下、「周波数拡散ＣＤＭ（Code Division Multiplexing）方式」と称する）を制御チャネルに適用することが検討されている。例えば、第3世代（3G）移動体通信システムの標準規格の検討が標準化プロジェクト「3GPP：3rd Generation Partnership Project」で行われているが、その3GPPにおいて、直交周波数分割多重（Orthogonal Frequency Division Multiplexing：OFDM）方式の下りリンク（無線基地局から無線端末へ向かう方向のリンク）におけるL1/L2制御チャネルで周波数拡散ＣＤＭ方式を適用することが検討されている。
【０００３】
また、複数のアンテナを無線基地局に設け、送信ダイバーシチを利用することにより、無線伝送特性の改善を図ることが行われている。非特許文献５では、チャネルの推定精度向上のため、Sub-carrier grouping CDD（Cyclic Delay Diversity）と呼ばれる周波数方向にブロック化したCDD方式を提案し、良好な性能が得られることが示されている。
【非特許文献１】3GPP R1-063349 KDDI, et al, “L1/L2 Control Channel Structure with CDM Based Multiplexing in E-UTRA Downlink”, 2006.11
【非特許文献２】3GPP, R1-070214, Huawei, "System Level Simulations of Transmit Diversity for CCPCH", 2007.1
【非特許文献３】3GPP, R1-070215, Huawei, "Link Level Simulations of Transmit Diversity for CCPCH with IRC Receiver", 2007.1
【非特許文献４】S.M. Alamouti：“A simple transmit technique for wireless communications”, IEEE Jour. Selec. Areas Commun., Vol.16, pp. 1451-1458, 1998.
【非特許文献５】3GPP, R1-070850, Sharp, " Performance Comparison between the Conventional CDD and a Sub-carrier Grouping CDD scheme for the common control channel in the E-UTRA Downlink ", 2007.3
【発明の開示】
【発明が解決しようとする課題】
【０００４】
しかし、周波数拡散ＣＤＭ方式において、送信ダイバーシチを適用すると、受信側における隣接サブキャリア間での周波数選択性を増やすことがある。すると、周波数拡散ＣＤＭ方式で多重された信号を逆拡散する際に符号間の直交性が保たれず、マルチコード干渉が発生し、通信品質の向上の妨げになる恐れがある。非特許文献５記載の従来技術では、サブキャリア間での位相固定技術が開示されているが、その固定サブキャリア数は拡散符号長と合わせることが考慮されていない。
【０００５】
本発明は、このような事情を考慮してなされたもので、その目的は、周波数拡散ＣＤＭ方式と送信ダイバーシチの両方を適用する場合に、通信品質の向上を図ることのできる無線送信装置および無線受信装置を提供することにある。
【課題を解決するための手段】
【０００６】
上記の課題を解決するために、本発明に係る無線送信装置は、第１のアンテナと第２のアンテナを備えると共に周波数拡散ＭＣ−ＣＤＭ方式を適用する無線送信装置において、第１のアンテナから送信する信号については全ての周波数ブロックに関し全サブキャリアの位相を固定し、第２のアンテナから送信する信号については拡散符号長と同じもしくは整数倍の周波数ブロックごとにサブキャリアの位相を一定量ずつもしくはランダムにシフトさせる位相シフト手段を備えたことを特徴とする。
【０００７】
本発明に係る無線受信装置は、周波数拡散ＭＣ−ＣＤＭ方式を適用するＣＤＤ方式の無線受信装置において、無線送信装置から送信された既知のパイロット信号を受信し、その受信パイロット信号を用いてチャネル応答と位相シフト量を検出して受信処理する受信処理手段を備えたことを特徴とする。
【０００８】
本発明に係る無線送信装置は、第１のアンテナと第２のアンテナを備えると共に周波数拡散ＭＣ−ＣＤＭ方式を適用する無線送信装置において、所定のアンテナ切り替え規則に従って、拡散符号長と同じもしくは整数倍の周波数ブロック単位で、送信するアンテナを切り替えるアンテナ選択手段を備えたことを特徴とする。
【０００９】
本発明に係る無線受信装置は、周波数拡散ＭＣ−ＣＤＭ方式を適用するＦＳＴＤ方式の無線受信装置において、無線送信装置と共有する周波数ブロック単位のアンテナ切り替え規則に従って、受信信号を処理する受信処理手段を備えたことを特徴とする。
【００１０】
本発明に係る無線送信装置は、第１のアンテナと第２のアンテナを備えると共に周波数拡散ＭＣ−ＣＤＭ方式を適用する無線送信装置において、周波数方向に符号拡散された信号を拡散符号長と同じもしくは整数倍の周波数ブロック単位でアラモウティ符号化するアラモウティ符号化手段と、該符号化前の元の信号と該符号化信号とに分けて、周波数ブロック単位で、第１のアンテナと第２のアンテナに分配する分配手段とを備えたことを特徴とする。
【００１１】
本発明に係る無線送信装置は、第１のアンテナと第２のアンテナを備えると共に周波数拡散ＭＣ−ＣＤＭ方式を適用する無線送信装置において、周波数方向に符号拡散された信号をサブキャリア単位でアラモウティ符号化するアラモウティ符号化手段と、該符号化前の元の信号と該符号化信号とに分けて、サブキャリア単位で、第１のアンテナと第２のアンテナに分配する分配手段とを備えたことを特徴とする。
【００１２】
本発明に係る無線受信装置は、周波数拡散ＭＣ−ＣＤＭ方式を適用する無線受信装置において、無線送信装置と共有するアラモウティ符号化単位およびアンテナ分配単位に従って、受信信号をアラモウティ復号処理する復号手段を備えたことを特徴とする。
【発明の効果】
【００１３】
本発明によれば、周波数拡散ＣＤＭ方式と送信ダイバーシチの両方を適用する場合に、通信品質の向上を図ることができる。
【発明を実施するための最良の形態】
【００１４】
以下、図面を参照し、本発明の実施形態について説明する。なお、以下の説明においては、周波数拡散ＣＤＭ方式において、同一データが符号拡散される周波数帯域のことを「周波数ブロック」と称する。
【００１５】
［第１実施形態］
図１は、本発明の第１実施形態に係る無線伝送方式を説明するための概念図である。第１実施形態は、サイクリック遅延ダイバーシチ（ＣＤＤ）方式の改良である。ＣＤＤ方式は、端末における受信時の周波数選択性を大きくして誤り訂正符号化によるダイバーシチ効果を得る手法である。従来のＣＤＤ方式では、送信時間サンプルにサイクリックシフトを加えることで、サブキャリア毎に連続して位相を変化させる。しかし、その従来のＣＤＤ方式において、周波数拡散ＣＤＭ方式を適用すると、マルチコード干渉が増加することが懸念される。一方、非特許文献５記載の従来技術では、サブキャリア間の位相シフト量を一定のサブキャリア数固定することで周波数選択性を低減し、これによりチャネル推定精度を向上させ、全体の特性を改善している。しかし、このサブキャリア数の固定は、チャネル推定精度の向上のため一定のサブキャリア毎に行われており、拡散符号長については考慮されていない。そこで、本実施形態では位相シフト量を固定するサブキャリアを拡散符号長もしくはその整数倍とすることにより、逆拡散時の周波数選択性の影響によるマルチコード干渉の低減を図る。
【００１６】
なお、本実施形態では、無線送信装置は２つのアンテナ＃１，＃２を備え、送信するアンテナを切替えることにより送信ダイバーシチを行う。また、無線送信装置は、周波数拡散ＣＤＭ方式により符号拡散された信号をサブキャリアに配置する周波数拡散ＭＣ−ＣＤＭ（Multi Carrier-Code Division Multiplexing）方式を適用する。
【００１７】
図１に示されるように、第１実施形態では、アンテナ＃１から送信する信号については、全ての周波数ブロックに関し、全サブキャリアの位相を固定する。一方、アンテナ＃２から送信する信号については、周波数ブロックごとに、サブキャリアの位相を一定量ずつシフトさせる。周波数ブロック内では位相を固定する。図１の例では、アンテナ＃２から送信する信号は、周波数ブロックごとに、Δφ１〜ΔφＫまで、位相シフト量が変化している。位相シフト量の変化量は一定であってもよく、ランダムに選択されてもよく、さらに別の規則に基づく量であってもよい。このように、本実施形態では、ＣＤＤによるサイクリックシフトからサブキャリアの位相シフトに変更し、周波数ブロック内では位相を固定する。このときの位相を固定するサブキャリアを拡散符号長もしくはその整数倍とする。これにより、逆拡散時の周波数選択性の影響によるマルチコード干渉の低減を図る。図１の例では拡散符号長と周波数ブロックの大きさが、同じ場合について示している。また、異なる拡散符号長の符号が異なるサブキャリアで送信される場合には拡散符号長に合わせて位相を固定するサブキャリア数を同じマルチキャリア信号内で複数種類混在させても良い。
【００１８】
図２は、本発明の第１実施形態に係る無線送信装置の構成を示すブロック図である。図２において、送信データはＳ／Ｐ変換部１でシリアル信号からパラレル信号に変換され、周波数ブロックの各々に対応して設けられるコピー部２に分配される。コピー部２は入力データを４つに複製する。コピー部２で複製されたデータはそれぞれ拡散符号器３で拡散符号により周波数方向に拡散される。
【００１９】
位相シフト器４は、周波数方向に符号拡散された信号を、アンテナ＃１＿６用のＩＦＦＴ５にはそのまま出力し（位相シフトなし）、アンテナ＃２＿６用のＩＦＦＴ５には所定量の位相シフトを行って出力する。図２の構成は、図１の例に対応しており、Δφ１〜ΔφＫまでの各位相シフト量に対応するＫ個の位相シフト器４が設けられている。
【００２０】
ＩＦＦＴ５は、アンテナ＃１＿６，＃２＿６の各々に対応して設けられている。ＩＦＦＴ５は、位相シフト器４から入力された信号を逆フーリエ変換し、周波数領域の信号から時間領域の信号に変換する。アンテナ＃１＿６，＃２＿６は、それぞれ対応するＩＦＦＴ５から入力された信号を送信する。
【００２１】
上述の第１実施形態によれば、周波数方向に符号拡散されている信号間の周波数選択性を低減させることができる。これにより、マルチコード干渉の発生を抑制し、通信品質の向上を図ることができる。
【００２２】
なお、第１実施形態に係る無線受信装置は、無線送信装置から送信された既知のパイロット信号を受信し、その受信パイロット信号を用いてチャネル応答と位相シフト量を検出して受信処理する従来のＣＤＤ方式でよい。
【００２３】
［第２実施形態］
図３は、本発明の第２実施形態に係る無線伝送方式を説明するための概念図である。第２実施形態は、周波数切り替え送信ダイバーシチ（ＦＳＴＤ）方式の改良である。従来のＦＳＴＤ方式は、端末における受信時の周波数選択性をサブキャリア毎にアンテナを切り替えることで大きくして誤り訂正符号化によるダイバーシチ効果を得る手法である。しかし、その従来のＦＳＴＤ方式において、周波数拡散ＣＤＭ方式を適用すると、マルチコード干渉が増加することが懸念される。そこで、本実施形態では、拡散符号長に合わせてサブキャリアをまとめてブロック化し、ブロック内は選択アンテナを固定化することによりマルチコード干渉の低減を図る。
【００２４】
なお、本実施形態では、無線送信装置は２つのアンテナ＃１，＃２を備え、送信するアンテナを切替えることにより送信ダイバーシチを行う。また、無線送信装置は、周波数拡散ＣＤＭ方式により符号拡散された信号をサブキャリアに配置する周波数拡散ＭＣ−ＣＤＭ（Multi Carrier-Code Division Multiplexing）方式を適用する。
【００２５】
図３に示されるように、第２実施形態では、周波数ブロック単位で、送信するアンテナを切り替える。図３の例では、周波数ブロック単位で、送信するアンテナをアンテナ＃１とアンテナ＃２で交互に切り替えている。このときの周波数ブロック単位を拡散符号長もしくはその整数倍とする。これにより、逆拡散時の周波数選択性の影響によるマルチコード干渉の低減を図る。図３の例では拡散符号長と周波数ブロックの大きさが、同じ場合について示している。また、異なる拡散符号長の符号が異なるサブキャリアで送信される場合には拡散符号長に合わせて位相を固定するサブキャリア数を同じマルチキャリア信号内で複数種類混在させても良い。
【００２６】
図４は、本発明の第２実施形態に係る無線送信装置の構成を示すブロック図である。図４において、送信データはＳ／Ｐ変換部１でシリアル信号からパラレル信号に変換され、周波数ブロックの各々に対応して設けられるコピー部２に分配される。コピー部２は入力データを４つに複製する。コピー部２で複製されたデータはそれぞれ拡散符号器３で拡散符号により周波数方向に拡散される。
【００２７】
アンテナ選択部７は、周波数ブロック単位で設けられる。アンテナ選択部７は、周波数方向に符号拡散された信号を、所定の規則に従ってアンテナ＃１＿６用のＩＦＦＴ５又はアンテナ＃２＿６用のＩＦＦＴ５のいずれかのアンテナに出力する。この周波数ブロック単位のアンテナ切り替え規則は無線受信装置と共有される。
【００２８】
ＩＦＦＴ５は、アンテナ＃１＿６，＃２＿６の各々に対応して設けられている。ＩＦＦＴ５は、アンテナ選択部７から入力された信号を逆フーリエ変換し、周波数領域の信号から時間領域の信号に変換する。アンテナ＃１＿６，＃２＿６は、それぞれ対応するＩＦＦＴ５から入力された信号を送信する。
【００２９】
上述の第２実施形態によれば、周波数方向に符号拡散されている信号間の周波数選択性を低減させることができる。これにより、マルチコード干渉の発生を抑制し、通信品質の向上を図ることができる。
【００３０】
なお、第２実施形態に係る無線受信装置は、無線送信装置と共有する周波数ブロック単位のアンテナ切り替え規則に従って受信信号を処理するようにすれば、従来のＦＳＴＤ方式でよい。
【００３１】
［第３実施形態］
図５は、本発明の第３実施形態に係る無線伝送方式を説明するための概念図である。第３実施形態は、サブキャリア間の２つのシンボルをアラモウティ（Alamouti）符号を用いて符号化し、アンテナ間に分配する。この分配単位は、周波数ブロック単位とする。
【００３２】
なお、本実施形態では、無線送信装置は２つのアンテナ＃１，＃２を備え、送信するアンテナを切替えることにより送信ダイバーシチを行う。また、無線送信装置は、周波数拡散ＣＤＭ方式により符号拡散された信号をサブキャリアに配置する周波数拡散ＭＣ−ＣＤＭ（Multi Carrier-Code Division Multiplexing）方式を適用する。
【００３３】
図５に示されるように、第３実施形態では、符号化前の元の信号はアンテナ＃１から送信する。アラモウティ符号化された符号化信号はアンテナ＃２から送信する。このとき、周波数ブロック単位でアラモウティ符号化する。また、周波数ブロック単位で、各アンテナ＃１＿６，＃２＿６に分配する。
【００３４】
ここで、アラモウティ符号（Space Time Block Code：ＳＴＢＣ)の例について説明する。なお、ここでは、送信側のアンテナが２つであり、受信側のアンテナが１つであるとする。
送りたい情報（x1，x2）を２つまとめてブロックにする。最初の時間にアンテナ＃１から「ｘ１」、且つアンテナ＃２から「ｘ２」を送り、次の時間にアンテナ＃１から「−ｘ２＊」、且つアンテナ＃２から「ｘ１＊」を送る。但し、＊は複素共役を表す。このときのＳＴＢＣの直交行列は、次式［数１］で表される。
【００３５】
【数１】
2008236417.tif 000003
【００３６】
すると、受信側での受信信号は次式［数２］で表される。
【００３７】
【数２】
2008236417.tif 000004
【００３８】
また、受信側で復調した情報は次式［数３］で表される。
【００３９】
【数３】
2008236417.tif 000005
【００４０】
但し、α１とα２は、それぞれ送信側のアンテナ＃１及びアンテナ＃２から受信側のアンテナまでの伝送路特性である。
【００４１】
図６は、本発明の第３実施形態に係る無線送信装置の構成を示すブロック図である。図６において、送信データはＳ／Ｐ変換部１でシリアル信号からパラレル信号に変換され、周波数ブロックの各々に対応して設けられるコピー部２に分配される。コピー部２は入力データを４つに複製する。コピー部２で複製されたデータはそれぞれ拡散符号器３で拡散符号により周波数方向に拡散される。
【００４２】
アラモウティ符号器１０は、周波数ブロック単位で設けられる。アラモウティ符号器１０は、周波数方向に符号拡散された信号を周波数ブロック単位でアラモウティ符号化し、符号化前の元の信号をアンテナ＃１＿６用のＩＦＦＴ５に出力し、符号化信号をアンテナ＃２＿６用のＩＦＦＴ５に出力する。このとき、周波数ブロック単位で、各アンテナ＃１＿６，＃２＿６に分配する。このアラモウティ符号化単位およびアンテナ分配単位は、無線受信装置と共有される。このときの周波数ブロック単位を拡散符号長もしくはその整数倍とする。これにより、逆拡散時の周波数選択性の影響によるマルチコード干渉の低減を図る。図６の例では拡散符号長と周波数ブロックの大きさが、同じ場合について示している。また、異なる拡散符号長の符号が異なるサブキャリアで送信される場合には拡散符号長に合わせて位相を固定するサブキャリア数を同じマルチキャリア信号内で複数種類混在させても良い。
【００４３】
ＩＦＦＴ５は、アンテナ＃１＿６，＃２＿６の各々に対応して設けられている。ＩＦＦＴ５は、アラモウティ符号器１０から入力された信号を逆フーリエ変換し、周波数領域の信号から時間領域の信号に変換する。アンテナ＃１＿６，＃２＿６は、それぞれ対応するＩＦＦＴ５から入力された信号を送信する。
【００４４】
上述の第３実施形態によれば、次に挙げる伝送特性を得ることができる。
（１）拡散符号の直交性の確保には比較的強い。
（２）周波数選択性の影響はアラモウティ復号時の干渉につながる可能性がある。
【００４５】
なお、第３実施形態に係る無線受信装置は、無線送信装置と共有するアラモウティ符号化単位およびアンテナ分配単位に従って受信信号をアラモウティ復号処理するように構成すればよい。
【００４６】
［第４実施形態］
図７は、本発明の第４実施形態に係る無線伝送方式を説明するための概念図である。第４実施形態は、サブキャリア間の２つのシンボルをアラモウティ（Alamouti）符号を用いて符号化し、アンテナ間に分配する。この分配単位は、サブキャリア単位とする。
【００４７】
なお、本実施形態では、無線送信装置は２つのアンテナ＃１，＃２を備え、送信するアンテナを切替えることにより送信ダイバーシチを行う。また、無線送信装置は、周波数拡散ＣＤＭ方式により符号拡散された信号をサブキャリアに配置する周波数拡散ＭＣ−ＣＤＭ（Multi Carrier-Code Division Multiplexing）方式を適用する。
【００４８】
図７に示されるように、第４実施形態では、符号化前の元の信号はアンテナ＃１から送信する。アラモウティ符号化された符号化信号はアンテナ＃２から送信する。このとき、サブキャリア単位でアラモウティ符号化する。また、サブキャリア単位で、各アンテナ＃１＿６，＃２＿６に分配する。
【００４９】
図８は、本発明の第４実施形態に係る無線送信装置の構成を示すブロック図である。図８において、送信データはＳ／Ｐ変換部１でシリアル信号からパラレル信号に変換され、周波数ブロックの各々に対応して設けられるコピー部２に分配される。コピー部２は入力データを４つに複製する。コピー部２で複製されたデータはそれぞれ拡散符号器３で拡散符号により周波数方向に拡散される。
【００５０】
アラモウティ符号器１０は、サブキャリア単位で設けられる。アラモウティ符号器１０は、周波数方向に符号拡散された信号をサブキャリア単位でアラモウティ符号化し、符号化前の元の信号をアンテナ＃１＿６用のＩＦＦＴ５に出力し、符号化信号をアンテナ＃２＿６用のＩＦＦＴ５に出力する。このとき、サブキャリア単位で、各アンテナ＃１＿６，＃２＿６に分配する。このアラモウティ符号化単位およびアンテナ分配単位は、無線受信装置と共有される。
【００５１】
ＩＦＦＴ５は、アンテナ＃１＿６，＃２＿６の各々に対応して設けられている。ＩＦＦＴ５は、アラモウティ符号器１０から入力された信号を逆フーリエ変換し、周波数領域の信号から時間領域の信号に変換する。アンテナ＃１＿６，＃２＿６は、それぞれ対応するＩＦＦＴ５から入力された信号を送信する。
【００５２】
上述の第４実施形態によれば、次に挙げる伝送特性を得ることができる。
（１）アラモウティ復号時の周波数選択性の影響は少ない。
（２）逆拡散時の周波数選択性の影響は大きくなる可能性がある。
【００５３】
なお、第４実施形態に係る無線受信装置は、無線送信装置と共有するアラモウティ符号化単位およびアンテナ分配単位に従って受信信号をアラモウティ復号処理するように構成すればよい。
【００５４】
上述の第３実施形態と第４実施形態の各伝送特性は相反するものとなるので、無線伝播環境、拡散利得、Ｒ−ＣＤＭなどのパラメータに応じて、第３実施形態又は第４実施形態を最適化すればよい。
【００５５】
以上、本発明の実施形態を図面を参照して詳述してきたが、具体的な構成はこの実施形態に限られるものではなく、本発明の要旨を逸脱しない範囲の設計変更等も含まれる。
【図面の簡単な説明】
【００５６】
【図１】本発明の第１実施形態に係る無線伝送方式を説明するための概念図である。
【図２】本発明の第１実施形態に係る無線送信装置の構成を示すブロック図である。
【図３】本発明の第２実施形態に係る無線伝送方式を説明するための概念図である。
【図４】本発明の第２実施形態に係る無線送信装置の構成を示すブロック図である。
【図５】本発明の第３実施形態に係る無線伝送方式を説明するための概念図である。
【図６】本発明の第３実施形態に係る無線送信装置の構成を示すブロック図である。
【図７】本発明の第４実施形態に係る無線伝送方式を説明するための概念図である。
【図８】本発明の第４実施形態に係る無線送信装置の構成を示すブロック図である。
【符号の説明】
【００５７】
１…Ｓ／Ｐ変換部、２…コピー部、３…拡散符号器、４…位相シフト器、５…ＩＦＦＴ、６…アンテナ、７…アンテナ選択部、１０…アラモウティ符号器
【図１】
2008236417.tif 000006
【図２】
2008236417.tif 000007
【図３】
2008236417.tif 000008
【図４】
2008236417.tif 000009
【図５】
2008236417.tif 000010
【図６】
2008236417.tif 000011
【図７】
2008236417.tif 000012
【図８】
2008236417.tif 000013